(57)【要約】      （修正有）【課題】樽形防護フレームと防護カバーを含む、医療用放射線防護装置を提供する。【解決手段】上部防護フレーム１０３と下部防護フレーム１０４を含む樽形防護フレーム１０１と、防護カバーとを含む医療用放射線防護装置であって、医療用放射線防護装置はさらに、昇降モータ３０１、昇降機構３０２および昇降制御装置１０６を含む昇降システムを含み、上部防護フレームは昇降機構によって下部防護フレームに接続されており、上部防護フレームは下部防護フレームを支持部品として昇降機構の作用により上下移動でき、防護カバーは樽形防護フレームの内側壁及び／又は外側壁に巻設されており、昇降制御装置はボタンスイッチ、音声制御装置又はジェスチャー制御装置を含み、ボタンスイッチ、音声制御装置又はジェスチャー制御装置は上部防護フレームに取り付けられている。【選択図】図１
0003223517.tif 000002
【実用新案登録請求の範囲】
【請求項１】
上部防護フレーム（１０３）と下部防護フレーム（１０４）を含む樽形防護フレーム（１０１）と、防護カバー（１０２）と、を含む医療用放射線防護装置であって、
前記医療用放射線防護装置はさらに、昇降モータ（３０１）、昇降機構（３０２）および昇降制御装置（１０６）を含む昇降システムを含み、
前記上部防護フレーム（１０３）は前記昇降機構（３０２）によって前記下部防護フレーム（１０４）に接続されており、前記上部防護フレーム（１０３）は下部防護フレーム（１０４）を支持部品として昇降機構の作用により上下移動でき、
前記防護カバー（１０２）は前記樽形防護フレーム（１０１）の内側壁及び／又は外側壁に巻設されており、
前記昇降制御装置（１０６）はボタンスイッチ、音声制御装置又はジェスチャー制御装置を含み、ボタンスイッチ、音声制御装置又はジェスチャー制御装置は上部防護フレーム（１０３）に取り付けられている、
ことを特徴とする医療用放射線防護装置。
【請求項２】
前記上部防護フレーム（１０３）は上部防護フレーム操作台（２０１）および少なくとも１つの第１支持ロッド（２０２）を含み、上部防護フレーム操作台（２０１）は上部防護フレーム操作台パネル（２１０）および上部防護フレーム操作台支持フレーム（２１１）を含み、上部防護フレーム操作台パネル（２１０）はネジによって上部防護フレーム操作台支持フレーム（２１１）に固着されており、
第１支持ロッド（２０２）は上部防護フレーム操作台（２０１）の下底面に固接されており、前記第１支持ロッド（２０２）は前記昇降機構（３０２）に固接されており、第１支持ロッド（２０２）は昇降機構（３０２）の制御により、上昇又は下降を実現でき、前記下部防護フレーム（１０４）は中部防護フレーム支持ベース（２０３）、底部支持ベース（２０４）および第２支持ロッド（２０５）を含み、中部防護フレーム支持ベース（２０３）と底部支持ベース（２０４）とは第２支持ロッド（２０５）によって固接されており、
前記昇降機構（３０２）、昇降モータ（３０１）は中部防護フレーム支持ベース（２０３）に固着されており、
前記上部防護フレーム操作台（２０１）、中部防護フレーム支持ベース（２０３）および底部支持ベース（２０４）の断面の形状は同じであり、前記上部防護フレーム操作台（２０１）は割線方向に沿って前後の両面が平面形であるドアパネル（２０６）が設けられており、これに対応して、中部防護フレーム支持ベースおよび底部支持ベースの対応する部分には割線方向に沿って前後の両面が平面形であるドアパネルが設けられており、
さらに充電インターフェース、充電バッテリー、送電インターフェースを含む充電装置（２０７）を含み、充電装置（２０７）は下部防護フレーム（１０４）に取り付けられており、前記昇降モータ（３０１）は送電インターフェースに電気的に接続されており、
前記医療用放射線防護装置は、さらに電源スイッチ（２０８）および電量表示装置（２０９）を含み、電源スイッチ（２０８）および電量表示装置（２０９）は上部防護フレーム操作台（２０１）に取り付けられており、前記電源スイッチ（２０８）および電量表示装置（２０９）はそれぞれ送電インターフェースに電気的に接続されている、
ことを特徴とする請求項１に記載の医療用放射線防護装置。
【請求項３】
前記樽形防護フレーム（１０１）は左右２つの半環状防護フレーム（１０９、１１０）を含み、
前記上部防護フレーム操作台（２０１）、中部防護フレーム支持ベース（２０３）、底部支持ベース（２０４）はそれぞれ左、右の両部分に分けられ、左右両部分は互いに対称し嵌合されており、前記２つの半環状防護フレーム（１０９、１１０）はそれぞれ上部防護フレーム操作台（２０１）、中部防護フレーム支持ベース（２０３）、底部支持ベース（２０４）の左、右両部分および第１支持ロッド（２０２）、第２支持ロッド（２０５）により構成されている、
ことを特徴とする請求項２に記載の医療用放射線防護装置。
【請求項４】
前記医療用放射線防護装置は、さらに、
回転ロッド（１０５）、開閉モータ（３０８）および開閉制御装置（１０７）を含む開閉システムを含み、
前記回転ロッド（１０５）は前記樽形防護フレーム（１０１）の垂直方向に設置されており、前記開閉モータは前記回転ロッド（１０５）に設置されており、前記樽形防護フレーム（１０１）の少なくとも一部は前記回転ロッド（１０５）を回って回転することにより、前記防護カバー（１０２）を開けさせまたは閉じさせることができ、
２つの半環状防護フレーム（１０９、１１０）の開閉の端面にはさらにピンチ防止装置が設けられており、
前記２つの半環状防護フレーム（１０９、１１０）の端部は前記回転ロッド（１０５）によって接続されており、前記２つの半環状防護フレーム（１０９、１１０）は前記回転ロッド（１０５）を回って回転することにより、前記樽形防護フレーム（１０１）および前記防護カバー（１０２）を閉じさせまたは開けさせることができる、
ことを特徴とする請求項３に記載の医療用放射線防護装置。
【請求項５】
前記開閉制御装置（１０７）はさらに、磁気スイッチ、音声制御装置またはジェスチャー制御装置を含む、
ことを特徴とする請求項４に記載の医療用放射線防護装置。
【請求項６】
前記防護カバー（１０２）は上部防護フレーム防護カバー（４０１）および下部防護フレーム防護カバー（４０２）を含み、前記上部防護フレーム防護カバー（４０１）は上部防護フレームを一周取り囲んでおり、前記下部防護フレーム防護カバー（４０２）は下部防護フレームを一周取り囲んでおり、下部防護フレーム防護カバー（４０２）の下部は水平の地面に延伸しており、前記下部防護フレーム防護カバー（４０２）の上部の外側面は上部防護フレーム防護カバー（４０１）の内側面に密着しており、前記上部防護フレーム防護カバー（４０１）と下部防護フレーム防護カバー（４０２）との高さの和は前記医療用放射線防護装置の高さより大きい、
ことを特徴とする請求項１に記載の医療用放射線防護装置。
【請求項７】
前記上部防護フレーム防護カバー（４０１）は内層防護カバーと外層防護カバーとを２つ有し、それぞれ上部防護フレーム（１０３）の内側壁と外側壁に固接されており、前記下部防護フレーム防護カバー（４０２）は内層防護カバーと外層防護カバーとを２つ有し、それぞれ下部防護フレーム（１０４）の内側壁と外側壁に固接されており、上部防護フレームの内側壁および外側壁に固定された上部防護フレーム防護カバーの間の距離は、下部防護フレームの内側壁と外側壁に固定された下部防護フレーム防護カバーの間の距離より大きく、下部防護フレーム防護カバー（４０２）は上部防護フレーム防護カバー（４０１）に挿入して摺動できる、
ことを特徴とする請求項６に記載の医療用放射線防護装置。
【請求項８】
前記上部防護フレーム防護カバー（４０１）の外層防護カバーの上端はさらにマジックテープの接続バンドのサブ面または親面（４０５−１）に固接されており、上部防護フレーム防護カバー（４０１）の内層防護カバーの外側面の上部の対応する位置にはマジックテープのサブ面または親面（４０６−１）が縫われており、前記上部防護フレーム防護カバー（４０１）の内層防護カバーの上端および外層防護カバーのマジックテープと外層防護カバーとの接続部分にはいずれもサスペンションシュリンクリング（４０７−１）が縫われており、
前記下部防護フレーム防護カバー（４０２）の外層防護カバーの上端はマジックテープの接続バンドのサブ面または親面（４０５−２）に固接されており、下部防護フレーム防護カバー（４０２）の内層防護カバーの外側面の上部の対応する位置にはマジックテープのサブ面または親面（４０６−２）が縫われており、前記下部防護フレーム防護カバー（４０２）の内層防護カバーの上端および外層防護カバーのマジックテープと外層防護カバーとの接続部分にはいずれもサスペンションシュリンクリング（４０７−２）が縫われており、
さらに、固定ストリップ（６０１）およびポスト（６０３）を含み、前記ポスト（６０３）は逆「Ｌ」形、または「弧」形、または「Ｔ」形を呈し、上部防護フレーム操作台支持フレーム（２１１）の上端面の両側にはそれぞれポスト（６０３）が設置されており、前記固定ストリップ（６０１）は上部防護フレーム防護カバー（４０１）のサスペンションシュリンクリングを貫通した後、ポスト（６０３）の内側にサスペンションして固定されており、
中部防護フレーム支持ベース（２０３）の上端面の両側に沿ってそれぞれポスト（６０３）が設置されており、前記固定ストリップ（６０１）は下部防護フレーム防護カバー（４０２）のサスペンションシュリンクリングを貫通した後、ポスト（６０３）の内側にサスペンションして固定されている、
ことを特徴とする請求項６に記載の医療用放射線防護装置。
【請求項９】
前記底部支持ベース（２０４）の底部には３つ〜５つのユニバーサルキャスター（１０８）が設けられており、ユニバーサルキャスターはユニバーサルホイール（１０８−１）およびユニバーサルホイール支持フレーム（１０８−２）を含み、ユニバーサルホイール支持フレーム（１０８−２）の一端はユニバーサルホイール（１０８−１）に接続されており、他端は底部支持ベース（２０４）の底部に固接されており、前記ユニバーサルホイール支持フレーム（１０８−２）と底部支持ベース（２０４）の外側壁との間の夾角は９０度以上であり、ユニバーサルホイール（１０８−１）はユニバーサルホイール支持フレーム（１０８−２）の支持により下部防護フレーム（１０４）の外側に延伸している、
ことを特徴とする請求項２に記載の医療用放射線防護装置。
【請求項１０】
前記下部防護フレーム防護カバー（４０２）の底部には足踏み操作割れ目（４０３）およびユニバーサルホイール支持フレーム取付孔（４０４）が開設されており、前記足踏み操作割れ目（４０３）はアーチ門状、方形、または半円形を呈する、
ことを特徴とする請求項６に記載の医療用放射線防護装置。
【請求項１１】
上部ドアストリップ（７０１）および下部ドアストリップ（７０２）を含むドアストリップをさらに含み、上部ドアストリップ（７０１）は上部防護フレーム（１０３）に固着されており、下部ドアストリップ（７０２）は下部防護フレーム（１０４）に固着されており、下部ドアストリップ（７０２）は上部ドアストリップ（７０１）に挿入して摺動できる、
ことを請求項３に記載の医療用放射線防護装置。
【請求項１２】
前記ドアパネル（２０６）は左ドアパネル（２０６−１）および右ドアパネル（２０６−２）を含み、左ドアパネル（２０６−１）の右端面は水平方向においてＬ形を呈し、対応する右ドアパネル（２０６−２）の左端面は水平方向において逆さまに置いたＬ形を呈し、左ドアパネル（２０６−１）の右端は右ドアパネル（２０６−２）の左端に嵌め込んで密閉することにより、左ドアパネル（２０６−１）と右ドアパネル（２０６−２）との閉じる場所の隙間から放射線が医療用放射線防護装置に入ることを遮断する目的を実現する、
ことを特徴とする請求項２に記載の医療用放射線防護装置。
【請求項１３】
前記第１支持ロッド（２０２）は３〜４本を有し、第１支持ロッド（２０２）の数量と対応しており、前記昇降システムは３〜４セットを有し、前記第２支持ロッド（２０５）は３〜４本を有し、前記充電バッテリーはリチウム電池、鉛酸電池またはニッケル水素電池であり、
前記樽形防護フレーム（１０１）はステンレス鋼材料、鉄、金、銀、銅、アルミニウム、亜鉛またはマンガンであり、前記防護カバー（１０２）の材質は鉛、鉛質材料、放射線防護無機鉛ガラス、放射線防護有機鉛ガラスまたはガラス繊維強化プラスチック類複合防護材料であり、前記防護カバー（１０２）はＸ線防護材料層を含む、
ことを特徴とする請求項２に記載の医療用放射線防護装置。
【考案の詳細な説明】
【技術分野】
【０００１】
本考案は医療用Ｘ線防護分野に関し、特に介入療法のＸ線防護装置に関する。
【背景技術】
【０００２】
医療用放射源とＸ線装置は幅広く臨床医学に応用され、疾患の診断と治療に役立ち、但し放射源とＸ線線装置が生成したＸ線は人の健康に有害であり、誤用又は適切に防護しない場合、Ｘ線事故が発生する可能性があり、病院の放射線防護安全を強化することは、医療労働者に対する防護は極めて重要な意義を有する。
【０００３】
介入療法技術は画像診断法に基づいて興った科学であり、それの発展により疾患の診断と治療の効果を大幅に向上させる。但し、一般の介入診断と治療はＸ線透視と造影の指導に従って行う必要がある。介入療法操作者は長期的にＸ線が放射する状態で仕事するため、それらにＸ線損傷を与えることが確実である。そのため、介入手術を実施する時、介入療法操作者に厳しい防護対策を取らなければならない。
【０００４】
現在、介入防護具は主に鉛服、鉛帽子、鉛マスク、鉛マフラー等を含む鉛製品である。これらの防護具はＸ線防護の要求を満たしたが、鉛質の材料が重いため、重い鉛服を着用している医者が長時間に立てて手術（例えば、複雑な病変又は連続した複数の手術）することは難しい。たくさんの介入医者は長時間的に荷重を耐えることにより体の慢性的な損傷を引き起こした。市場には相対的に薄く、軽い鉛服が現れ始めているが、医者はやはり荷重を耐えなければならず、薄い鉛服を追求することによりＸ線防護効果を低下する可能性がある。
【考案の概要】
【考案が解決しようとする課題】
【０００５】
本考案が解決しようとする技術的課題は、医療用放射線防護装置を提供し、現在介入手術の医者が鉛服を着用することにより長期間的に荷重を耐える問題と、従来の鉛の防護服の防護効果がよくない技術的問題とを解決することである。
【課題を解決するための手段】
【０００６】
前記技術課題を解決するために、本考案は、上部防護フレームと下部防護フレームを含む樽形防護フレームと、防護カバーとを含む医療用放射線防護装置を提供する。前記医療用放射線防護装置はさらに、昇降モータ、昇降機構と昇降制御装置を含む昇降システムを含み、前記上部防護フレームは前記昇降機構によって前記下部防護フレームに接続され、前記上部防護フレームは下部防護フレームを支持部品として昇降機構の作用により上下移動され、前記防護カバーは前記樽形防護フレームの側壁に設置されている。
【０００７】
前記昇降制御装置はボタンスイッチ、音声制御装置又はジェスチャー制御装置を含む。
【０００８】
さらに、前記上部防護フレームは上部防護フレーム操作台と少なくとも１つの第１支持ロッドを含み、上部防護フレーム操作台は上部防護フレーム操作台パネル及び上部防護フレーム操作台支持フレームを含み、上部防護フレーム操作台パネルはネジを採用し上部防護フレーム操作台支持フレームに固着されている。
【０００９】
第１支持ロッドは上部防護フレーム操作台の下底面に固接され、前記第１支持ロッドは前記昇降機構に固接され、第１支持ロッドは昇降機構の制御により、上昇又は下降を実現し、前記下部防護フレームは中部防護フレーム支持ベース、底部支持ベースと第２支持ロッドを含み、中部防護フレーム支持ベースと底部支持ベースは第２支持ロッドによって固接されている。
【００１０】
前記昇降機構、昇降モータは中部防護フレーム支持ベースに固着されている。
【００１１】
前記上部防護フレーム操作台、中部防護フレーム支持ベース及び底部支持ベースの断面の形状は同じであり、前記上部防護フレーム操作台は割線方向に沿って前後の両面が平面形であるドアパネルが設けられ、対応的には、中部防護フレーム支持ベースと底部支持ベースの対応する部分には割線方向に沿って前後の両面が平面形であるドアパネルが設けられている。
【００１２】
さらに充電インターフェース、充電バッテリー、送電インターフェースを含む充電装置を含み、充電装置は下部防護フレームに取り付けられ、前記昇降モータは送電インターフェースに電気的に接続されている。
【００１３】
前記医療用放射線防護装置は、さらに電源スイッチと電量表示装置を含み、電源スイッチと電量表示装置は上部防護フレーム操作台に取り付けられ、前記電源スイッチと電量表示装置はそれぞれ送電インターフェースに電気的に接続されている。
【００１４】
さらに、前記上部防護フレームは少なくとも１つの第１支持ロッドを含み、前記下部防護フレームは第１支持ロッドと同じ／又は同じではない数量の第２支持ロッドを含み、前記第１支持ロッドと前記第２支持ロッドは互いに一一対応／又は一一対応せず、前記昇降機構の数量は第１支持ロッドの数量と同じ／又は同じではなく、前記昇降機構はそれぞれ前記第１支持ロッドと前記第２支持ロッドの引継ぎ位置／又は前記上、下フレームの引継ぎ位置に設置される。
【００１５】
さらに、前記上部防護フレームは対称に設置された２つの第１支持ロッドを含み、前記下部防護フレームは対称に設置された２つの第２支持ロッドを含み、前記第１支持ロッドと前記第２支持ロッドは互いに対応する。前記昇降機構の数量は２つであり、前記２つの昇降機構はそれぞれ前記第１支持ロッドと前記第２支持ロッドの引き継ぎ位置に設置される。
【００１６】
さらに、前記上部防護フレームは間隔を開けて設置された３つの第１支持ロッドを含み、前記下部防護フレームは間隔を開けて設置された３つの第２支持ロッドを含み、前記第１支持ロッドと前記第２支持ロッドは互いに対応する。前記昇降機構の数量は３つであり、前記３つの昇降機構はそれぞれ前記第１支持ロッドと前記第２支持ロッドの引き継ぎ位置に設置される。
【００１７】
さらに、前記上部防護フレームは４つの第１支持ロッドを含み、前記４つの第１支持ロッドの間の間隔は同じ又は同じではない。前記下部防護フレームは４つの第２支持ロッドを含み、前記４つの第２支持ロッドの間の間隔は同じ又は同じではなく、前記４つの第１支持ロッドと前記４つの第２支持ロッドは互いに対応する。前記昇降機構の数量は４つであり、前記４つの昇降機構はそれぞれ前記４つの第１支持ロッドと前記４つの第２支持ロッドの引き継ぎ位置に設置される。
【００１８】
さらに、前記樽形防護フレームは２つの半環状防護フレームを含む。
【００１９】
前記上部防護フレーム操作台、中部防護フレーム支持ベース、底部支持ベースはそれぞれ左、右両部分に分けられ、左右両部分は互いに対称し嵌合され、前記２つの半環状防護フレームはそれぞれ上部防護フレーム操作台、中部防護フレーム支持ベース、底部支持ベースの左、右両部分及び第１支持ロッド、第２支持ロッドにより構成されている。
【００２０】
前記２つの半環状防護フレームの端部は前記回転ロッドによって接続され、前記２つの半環状防護フレームは前記回転ロッドを回って回転し、前記樽形防護フレームと前記防護カバーを閉じさせ又は開けさせる。
【００２１】
さらに、前記医療用放射線防護装置は、開閉システムを含む。前記開閉システムは、回転ロッド、開閉モータ及び開閉制御装置を含む。前記回転ロッドは前記樽形防護フレームの垂直方向に設置され、前記開閉モータは前記回転ロッドに設置され、前記樽形防護フレームの少なくとも一部は前記回転ロッドを回って回転し、前記防護カバーを開けさせ又は閉じさせる。
【００２２】
さらに好ましくは、２つの半環状防護フレームの開閉の端面にはピンチ防止装置が設けられる。
【００２３】
さらに、前記開閉制御装置は、磁気スイッチ、音声制御装置又はジェスチャー制御装置を含む、
【００２４】
さらに、前記医療用放射線防護装置は、また電源スイッチと電量表示装置を含み、電源スイッチと電量表示装置は上部防護フレーム操作台に取り付けられている。
【００２５】
さらに、前記防護カバーは上部防護フレーム防護カバーと下部防護フレーム防護カバーを含み、前記上部防護フレーム防護カバーは上部防護フレームを一周取り囲んで、前記下部防護フレーム防護カバーは下部防護フレームを一周取り囲んで、下部防護フレーム防護カバーの下部は水平の地面に延伸し、前記下部防護フレーム防護カバーの上部の外側面は上部防護フレーム防護カバーの内側面に密着し、前記上部防護フレーム防護カバーと下部防護フレーム防護カバーの高さの和は前記医療用放射線防護装置の高さより大きい。
【００２６】
さらに、前記樽形防護フレームは２つの半環状防護フレームを含む。２つの半環状防護フレームの端部は前記回転ロッドによって接続され、前記２つの半環状防護フレームは前記回転ロッドを回って回転し、前記樽形防護フレームと前記防護カバーを閉じさせ又は開けさせる。２つの半環状防護フレームの開閉の端面にはピンチ防止装置が設けられる。ピンチ防止装置は、医療スタッフが挟まれるのを効果的に防止することができる。
【００２７】
さらに、前記防護カバーは上部防護フレーム防護カバーと下部防護フレーム防護カバーを含み、前記上部防護フレーム防護カバーは上部防護フレームを一周取り囲んで、前記下部防護フレーム防護カバーは下部防護フレームを一周取り囲んで、下部防護フレーム防護カバーの下部は水平の地面に延伸し、前記下部防護フレーム防護カバーの上部の外側面は上部防護フレーム防護カバーの内側面に密着し、前記上部防護フレーム防護カバーと下部防護フレーム防護カバーの高さの和は前記医療用放射線防護装置の高さより大きい。
【００２８】
さらに、前記上部防護フレーム防護カバーは内層防護カバーと外層防護カバーを２つ有し、それぞれ上部防護フレームの内側壁と外側壁に固接され、前記下部防護フレーム防護カバーは内層防護カバーと外層防護カバーを２つ有し、それぞれ下部防護フレームの内側壁と外側壁に固接され、上部防護フレームの内側壁と外側壁に固定された上部防護フレーム防護カバーの間の距離は、下部防護フレームの内側壁と外側壁に固定された下部防護フレーム防護カバーの間の距離より大きく、下部防護フレーム防護カバーを上部防護フレーム防護カバーに挿入して摺動させる。
【００２９】
さらに、前記上部防護フレーム防護カバーの外層防護カバーの上端はマジックテープの接続バンドのサブ面又は親面に固接され、上部防護フレーム防護カバーの内層防護カバーの外側面の上部の対応する位置にはマジックテープののサブ面又は親面が縫われ、前記上部防護フレーム防護カバーの内層防護カバーの上端及び外層防護カバーのマジックテープは外層防護カバーとの接続部分にいずれもサスペンションシュリンクリングが縫われる。
【００３０】
前記下部防護フレーム防護カバーの外層防護カバーの上端はマジックテープの接続バンドのサブ面又は親面に固接され、下部防護フレーム防護カバー）の内層防護カバーの外側面の上部の対応する位置にはマジックテープのサブ面又は親面が縫われ、前記下部防護フレーム防護カバーの内層防護カバーの上端及び外層防護カバーのマジックテープは外層防護カバーとの接続部分にいずれもサスペンションシュリンクリングが縫われる。
【００３１】
さらに、また固定ストリップ及びポストを含み、前記ポストは逆「Ｌ」形、又は「弧」形、又は「Ｔ」形を呈し、上部防護フレーム支持ベースの上端面の両側にはそれぞれポストが設置され、前記固定ストリップは上部防護フレーム防護カバーのサスペンションシュリンクリングを貫通した後、ポストの内側にサスペンションして固定される。
【００３２】
中部防護フレーム支持ベースの上端面の両側に沿ってそれぞれポストが設置され、前記固定ストリップは下部防護フレーム防護カバーのサスペンションシュリンクリングを貫通した後、ポストの内側にサスペンションして固定される
【００３３】
さらに、前記ポストは円環状であってもよく、固定ストリップはそれぞれ順次にサスペンションシュリンクリング、円環状のポストを貫通し、よって防護カバーを防護フレームに固定させる。
【００３４】
防護カバーを上部防護フレーム操作台と中部防護フレーム支持ベースに固定する他の実施形態とし、さらに、防護カバーを上部防護フレーム操作台と中部防護フレーム支持ベースに固定する固定ストリップと、固定ストリップを支持するスリーブと、を含み、前記固定ストリップには固定ピン孔が開設され、前記上部防護フレーム防護カバーのサスペンションシュリンクリングは固定ストリップを貫通した後、ネジを採用して固定ピン孔を貫通した後、スリーブを貫通し、固定ストリップを上部防護フレーム操作台に固定し、前記下部防護フレーム防護カバーのサスペンションシュリンクリングは固定ストリップを貫通した後、ネジを採用して固定ピン孔を貫通した後、スリーブを貫通し、固定ストリップを中部防護フレーム支持ベースに固定する。
【００３５】
防護カバーを上部防護フレーム操作台と中部防護フレーム支持ベースに固定する他の実施形態とし、ストリップの中部は上に向けてアーチ形を形成し、前記固定ストリップの左右両端はそれぞれ２つの固定ピン孔が設けられ、前記固定ストリップの左端の２つの固定ピン孔の間の位置には上に向けて大きいアーチ形を形成し、前記固定ストリップの右端の２つの固定ピン孔の間の位置には上に向けて小さいアーチ形を形成し、前記上部防護フレーム防護カバーの上端のマジックテープの接続帯のサブ面又は親面は固定ストリップの中部の大きいアーチ形を貫通し、上部防護フレーム防護カバーの外側に貼り付けたマジックテープの親面又はサブ面に固定され、前記上部防護フレーム防護カバーのサスペンションシュリンクリングは固定ストリップの左右両側の小さいアーチ形を貫通し、ネジを採用して固定ストリップの両側のピン孔を貫通した後、固定ストリップを上部防護フレーム防護カバーに固定し、前記下部防護フレーム防護カバーの上端のマジックテープの接続帯のサブ面又は親面は固定ストリップの中部の大きいアーチ形を貫通し、下部防護フレーム防護カバーの外側に貼り付けたマジックテープの親面又はサブ面に固定され、前記下部防護フレーム防護カバーのサスペンションシュリンクリングは固定ストリップの左右両側の小さいアーチ形を貫通し、ネジを採用して固定ストリップの両側のピン孔を貫通した後、固定ストリップを中部防護フレーム支持ベースに固定する。
【００３６】
さらに、前記下部防護フレームの底部にはユニバーサルキャスターが設けられる。
【００３７】
さらに、前記下部防護フレームの底部には３つ〜５つのユニバーサルキャスターが設けられ、好ましくは４つであり、均一又は不均一で配布され、ユニバーサルキャスターは、ユニバーサルホイールとユニバーサルホイール支持フレームを含み、ユニバーサルホイール支持フレームの一端はユニバーサルホイールに接続し、他端は下部防護フレームの底部に固接され、前記ユニバーサルホイール支持フレームと底部支持ベースの外側壁との間の夾角は９０度以上であり、ユニバーサルホイールはユニバーサルホイール支持フレームの支持により下部防護フレームの外側に延伸する。
【００３８】
さらに、前記下部防護フレーム防護カバーの底部には足踏み操作割れ目とユニバーサルホイール支持フレーム取付孔が開設され、前記足踏み操作割れ目はアーチ門状、方形、半円形、又は他の不規則な形状を呈する。
【００３９】
さらに、前記ドアパネルは左ドアパネルと右ドアパネルを含み、左ドアパネルの右端面は水平方向においてＬ形を呈し、対応する右ドアパネルの左端面は水平方向において逆さまに置いたＬ形を呈し、左ドアパネルの右端は右ドアパネルの左端に嵌め込んで密閉し、左ドアパネルと右ドアパネルの閉じる場所の隙間から放射線が医療用放射線防護装置に入ることを遮断する目的を実現する。
【００４０】
さらに、前記樽形防護フレームはステンレス鋼材料、鉄、金、銀、銅、アルミニウム、亜鉛又はマンガンであり、前記防護カバーの材質は鉛、鉛質材料、放射線防護無機鉛ガラス、放射線防護有機鉛ガラス又はガラス繊維強化プラスチック類複合防護材料である。
【００４１】
さらに、前記防護カバーはＸ線防護材料層を含む、
【００４２】
さらに、本考案は、樽形防護装置と、昇降システムと、開閉システムとを含む医療用放射線防護装置を提供する。前記樽形防護装置は上部防護装置と下部防護装置を含む。前記上部防護装置の内径は前記下部防護装置の内径より大きい又は小さい。前記上部防護装置と前記下部防護装置は互いに接続され、前記上部防護装置は昇降システムの作用により前記下部防護装置の外側壁又は内側壁に沿ってしっかり密着し摺動する。前記樽形防護装置の側壁内側、側壁外側又は側壁にはＸ線防護材料層が設置される。前記昇降システムは昇降モータ、昇降機構と昇降制御装置を含む。前記開閉システムは回転ロッド、開閉モータ及び開閉制御装置を含む。
【考案の効果】
【００４３】
本考案の好適な効果は次のとおりある。
１）医者は本防護装置を着用する必要がなく、医者の荷重を大幅に軽減し、医者の腰椎、下肢関節に与える不良影響を軽減し、これによって医者の健康を保護する。
【００４４】
２）防護マスクの厚さを増加することにより、防護効果を著しく向上させ、Ｘ線が医者に与える損傷を減少する。本防護装置は使用しやすく、スイッチと昇降モータを制御するのみで装置の開閉と昇降を実現することができ、医者が装置に進出しやすく、身長が異なる医者に適用する。
【００４５】
３）ユニバーサルキャスターを設置することにより、医者が医療操作を行う時、自由自在に移動することができ、これによって手術操作に影響を与えない。
【００４６】
４）ユニバーサルキャスターが外へ突出し、本防護装置の外側に位置し、安定性を向上させる。
【００４７】
５）一方、下部防護フレーム防護カバーは地面まで延伸し、医療労働者の足部の防護効果を効果的に防護し、他方、下部防護フレーム防護カバーの底部にはアーチ門状、方形、半円形又は他の不規則な形状の足踏み操作割れ目が開設され、医者が足を外へ伸ばし、Ｘ線機器の足踏みのような他の機器を操作するのに用いられる。
【図面の簡単な説明】
【００４８】
以下、図面に合わせて本考案の実施するための形態についてさらに説明する。
【図１】医療用放射線防護装置の樽形防護フレームの立体構造図である。
【図２】医療用放射線防護装置の正面構造図である。
【図３】初期高さの医療用放射線防護装置の樽形防護フレームの構造図である。
【図４】高さ変更（高さ増加）された医療用放射線防護装置の構造図である。
【図５】医療用放射線防護装置を閉じる時の上面図である。
【図６】医療用放射線防護装置を開ける時の上面図である。
【図７】医療用放射線防護装置の立体図である。
【図８】本考案の一実施例の医療用放射線防護装置と従来の鉛服がＸ線の透視状態における検測分析対比図である。
【図９】本考案の一実施例の医療用放射線防護装置と従来の鉛服がＤＳＡ状態における検測分析対比図である。
【図１０】本考案の他の実施例に鉛のバッフル板を加える医療用放射線防護装置と従来の鉛服がＸ線の透視状態における検測分析対比図である。
【図１１】本考案の他の実施例に鉛のバッフル板を加える医療用放射線防護装置と従来の鉛服がＤＳＡ状態における検測分析対比図である。
【図１２】本考案の半環状防護フレームの左側構造図である。
【図１３】本考案の半環状防護フレームの右側構造図である。
【図１４】防護カバーの構造図である。
【図１５】固定ストリップの構造図である。
【図１６】固定ストリップが中部防護フレーム支持ベースに固定される平面図である。
【図１７】もう１つの形状の固定ストリップの構造図である。
【図１８】もう１つの形状の固定ストリップが中部防護フレーム支持ベースに固定される平面図である。
【図１９】ポストの構造図である。
【図２０】中部防護フレーム支持ベースがポスト方式を採用し固定ストリップを固定する構造図である。
【考案を実施するための形態】
【００４９】
（実施例１）
図１，図２，図１４に示すように、医療用放射線防護装置は、樽形防護フレーム１０１と、防護カバー１０２とを含む。上記樽形防護フレーム１０１は、上部防護フレーム１０３と下部防護フレーム１０４を含む。樽形防護フレームを採用する場合は手術空間を節約することができ、同時に、介入医者の操作も便利になり、臨床介入操作の需要を満たすために、樽形防護装置の内部に位置する介入医者は３６０度回転することができる。
【００５０】
前記医療用放射線防護装置はさらに、昇降システムを含む。上記昇降システムは、昇降モータ３０１、昇降機構３０２と昇降制御装置１０６を含む。上記上部防護フレーム１０３は上記昇降機構３０２によって上記下部防護フレーム１０４に接続され、上記上部防護フレーム１０３は下部防護フレーム１０４を支持部品として昇降機構の作用により上下移動され、上記防護カバー１０２は上記樽形防護フレーム１０１の内側壁及び／又は外側壁に巻設され、上記昇降制御装置１０６はボタンスイッチ、音声制御装置又はジェスチャー制御装置を含み、ボタンスイッチ、音声制御装置又はジェスチャー制御装置は上部防護フレーム１０３に取り付けられる、昇降機構により医療用放射線防護装置の防護部分は上昇又は下降することができ、よって身長が異なる介入医者に適用することができ、介入手術治療中に手術の実際の要求に従って昇降することができる。音声制御又はジェスチャー制御を採用することは昇降システムを操作することをより簡単、便利になる。
【００５１】
図１に示すように、上記上部防護フレーム１０３は上部防護フレーム操作台２０１と少なくとも１つの第１支持ロッド２０２を含み、上部防護フレーム操作台２０１は上部防護フレーム操作台パネル２１０及び上部防護フレーム操作台支持フレーム２１１を含み、上部防護フレーム操作台パネル２１０はネジを採用し上部防護フレーム操作台支持フレーム２１１に固着され、第１支持ロッド２０２は上部防護フレーム操作台２０１の下底面に固接され、上記第１支持ロッド２０２は上記昇降機構３０２に固接され、第１支持ロッド２０２は昇降機構３０２の制御により、上昇又は下降を実現し、上記下部防護フレーム１０４は中部防護フレーム支持ベース２０３、底部支持ベース２０４と第２支持ロッド２０５を含み、中部防護フレーム支持ベース２０３と底部支持ベース２０４は第２支持ロッド２０５によって固接され、支持ロッドを採用することは、他の支持構造、例えば支持壁に対し、装置全体の重量を削減することだけでなく、上部フレーム操作台の昇降をさらに便利にさせる。
【００５２】
上記昇降機構３０２、昇降モータ３０１は中部防護フレーム支持ベース２０３に固着される。
【００５３】
上記上部防護フレーム操作台２０１、中部防護フレーム支持ベース２０３及び底部支持ベース２０４の断面の形状は同じであり、上記上部防護フレーム操作台２０１は割線方向に沿って前後の両面が平面形であるドアパネル２０６が設けられ、対応的には、中部防護フレーム支持ベースと底部支持ベースの対応する部分には割線方向に沿って前後の両面が平面形であるドアパネルが設けられる。平面形のドアパネルを設置することにより、本考案の医療用放射線防護装置はさらに手術台に近接することができ、よって介入医者と患者の間の距離を近接させる。
【００５４】
さらに、充電装置２０７を含む。充電装置は、充電インターフェース、充電バッテリー、送電インターフェースを含み、充電装置２０７は下部防護フレーム１０４に取り付けられ、上記昇降モータ３０１は送電インターフェースに電気的に接続される。充電装置が設置されたため、本考案の医療用放射線防護装置は場所の制限を受けず、移動することができる。
【００５５】
図１、図５、図６の示すように、上記医療用放射線防護装置は、さらに電源スイッチ２０８と電量表示装置２０９を含み、電源スイッチ２０８と電量表示装置２０９は上部防護フレーム操作台２０１に取り付けられ、上記電源スイッチ２０８と電量表示装置２０９はそれぞれ送電インターフェースに電気的に接続される。電量表示装置は電量の情報を効果的に提示することができ、充電することを提示し、操作中に電量不足の原因で操作できないことを避ける。
【００５６】
図１２、図１３の示すように、上記樽形防護フレーム１０１は左右２つの半環状防護フレーム１０９および1１０を含む。
【００５７】
上記上部防護フレーム操作台２０１、中部防護フレーム支持ベース２０３、底部支持ベース２０４はそれぞれ左、右両部分に分けられ、左右両部分は互いに対称し嵌合され、上記２つの半環状防護フレーム１０９および１１０はそれぞれ上部防護フレーム操作台２０１、中部防護フレーム支持ベース２０３、底部支持ベース２０４の左、右両部分及び第１支持ロッド２０２、第２支持ロッド２０５により構成される。
【００５８】
上記２つの半環状防護フレーム１０９および１１０の端部は前記回転ロッド１０５によって接続され、上記２つの半環状防護フレーム１０９および１１０は上記回転ロッド１０５を回って回転し、上記樽形防護フレーム１０１と上記防護カバー１０２を閉じさせ又は開けさせる。左右２つの半環状防護フレームは回転ロッドを取り囲んで回転し、開閉可能にさせ、介入医者の進出が便利になる。
【００５９】
図１、図５の示すように、上記医療用放射線防護装置は、さらに、開閉システムを含む。上記開閉システムは、回転ロッド１０５、開閉モータ３０８及び開閉制御装置１０７を含む。上記回転ロッド１０５は上記樽形防護フレーム１０１の垂直方向に設置され、上記開閉モータは上記回転ロッド１０５に設置され、上記樽形防護フレーム１０１の少なくとも一部は上記回転ロッド１０５を回って回転し、上記防護カバー１０２を開けさせ又は閉じさせる。開閉モータ、開閉制御装置を採用し、左右２つの半環状防護フレームが回転ロッドを取り囲んで回転することを制御し、介入医者の労働強度を低減し、操作が便利になる。
【００６０】
２つの半環状防護フレーム１０９および１１０の開閉の端面にはさらにピンチ防止装置が設けられる。ピンチ防止装置は操作不当により介入医者を挟むことを効果的に防止することができる。
【００６１】
上記開閉制御装置１０７はさらに、磁気スイッチ、音声制御装置又はジェスチャー制御装置を含む、音声制御又はジェスチャー制御を採用する開閉装置は操作しやすく、便利である。
【００６２】
図２、図１４の示すように、上記防護カバー１０２は上部防護フレーム防護カバー４０１と下部防護フレーム防護カバー４０２を含み、上記上部防護フレーム防護カバー４０１は上部防護フレームを一周取り囲んで、上記下部防護フレーム防護カバー４０２は下部防護フレームを一周取り囲んで、下部防護フレーム防護カバー４０２の下部は水平の地面に延伸し、上記下部防護フレーム防護カバー４０２の上部の外側面は上部防護フレーム防護カバー４０１の内側面に密着し、上記上部防護フレーム防護カバー４０１と下部防護フレーム防護カバー４０２の高さの和は前記医療用放射線防護装置の高さより大きい。上部防護フレーム防護カバーと下部防護フレーム防護カバーを採用することにより、下部防護フレーム防護カバー４０２の上部の外側面は上部防護フレーム防護カバー４０１の内側面に密着し、上記上部防護フレーム防護カバー４０１と下部防護フレーム防護カバー４０２の高さの和は前記医療用放射線防護装置の高さより大きい。本考案の装置の上昇と下降の問題を解決するだけでなく、本考案が上昇する時、防護漏れがないようにさせる。
【００６３】
上記上部防護フレーム防護カバー４０１は内層防護カバーと外層防護カバーを２つ有し、それぞれ上部防護フレーム１０３の内側壁と外側壁に固接され、前記下部防護フレーム防護カバー４０２は内層防護カバーと外層防護カバーを２つ有し、それぞれ下部防護フレーム１０４の内側壁と外側壁に固接され、上部防護フレームの内側壁と外側壁に固定された上部防護フレーム防護カバーの間の距離は、下部防護フレームの内側壁と外側壁に固定された下部防護フレーム防護カバーの間の距離より大きく、下部防護フレーム防護カバー４０２を上部防護フレーム防護カバー（４０１）に挿入して摺動させる。内外層の防護カバーを採用することにより、放射線を遮蔽する効果がよくなる。
【００６４】
図１４の示すように、上記上部防護フレーム防護カバー４０１の外層防護カバーの上端はさらにマジックテープの接続バンドのサブ面又は親面４０５−１に固接され、上部防護フレーム防護カバー４０１の内層防護カバーの外側面の上部の対応する位置にはマジックテープののサブ面又は親面４０６−１が縫われ、前記上部防護フレーム防護カバー４０１の内層防護カバーの上端及び外層防護カバーのマジックテープは外層防護カバーとの接続部分にいずれもサスペンションシュリンクリング４０７−１が縫われる。
【００６５】
図１４の示すように、上記下部防護フレーム防護カバー４０２の外層防護カバーの上端はマジックテープの接続バンドのサブ面又は親面４０５−２に固接され、下部防護フレーム防護カバー４０２の内層防護カバーの外側面の上部の対応する位置にはマジックテープのサブ面又は親面４０６−２が縫われ、前記下部防護フレーム防護カバー４０２の内層防護カバーの上端及び外層防護カバーのマジックテープは外層防護カバーとの接続部分にいずれもサスペンションシュリンクリング４０７−２が縫われる。
【００６６】
図１，図１９、図２０の示すように、さらに、固定ストリップ６０１及びポスト６０３を含み、上記ポスト６０３は逆「Ｌ」形、又は「弧」形、又は「Ｔ」形を呈し、上部防護フレーム支持ベース２１１の上端面の両側にはそれぞれポスト６０３が設置され、上記固定ストリップ６０１は上部防護フレーム防護カバー４０１のサスペンションシュリンクリングを貫通した後、ポスト６０３の内側にサスペンションして固定され、中部防護フレーム支持ベース２０３の上端面の両側に沿ってそれぞれポスト６０３が設置され、上記固定ストリップ６０１は下部防護フレーム防護カバー４０２のサスペンションシュリンクリングを貫通した後、ポスト６０３の内側にサスペンションして固定される。本考案におけるこの形のポストと固定ストリップを採用して防護カバーを固定し、操作しやすく、組み立てと分解が便利であり、マジックテープを採用することにより、内外層の防護カバーをしっかり固定し、固定効果が更に優れている。
【００６７】
防護カバーを上部防護フレーム操作台と中部防護フレーム支持ベースに固定する他の実施形態とし、図１５に示すように、さらに、防護カバーを上部防護フレーム操作台２０１と中部防護フレーム支持ベース２０３に固定する固定ストリップ６０１と、固定ストリップ６０１を支持するスリーブ６０２と、を含み、当該固定ストリップ６０１には固定ピン孔が開設され、当該上部防護フレーム防護カバー４０１のサスペンションシュリンクリングは固定ストリップ６０１を貫通した後、ネジを採用して固定ピン孔を貫通した後、スリーブを貫通し、固定ストリップ６０１を上部防護フレーム操作台２０１に固定し、当該下部防護フレーム防護カバー４０２のサスペンションシュリンクリングは固定ストリップ６０１を貫通した後、ネジを採用して固定ピン孔を貫通した後、スリーブ６０２を貫通し、固定ストリップ６０１を中部防護フレーム支持ベース２０３に固定する。
【００６８】
防護カバーを上部防護フレーム操作台と中部防護フレーム支持ベースに固定する他の実施形態とし、図１７に示すように、さらに、防護カバーを上部防護フレーム操作台２０１と中部防護フレーム支持ベース２０３に固定する固定ストリップ６０１を含み、当該固定ストリップ６０１の中部は上に向けて大きいアーチ形を形成し、当該固定ストリップ６０１の左右両端はそれぞれ２つの固定ピン孔が設けられ、当該固定ストリップ６０１の左端の２つの固定ピン孔の間の位置には上に向けてアーチ形を形成し、当該固定ストリップ６０１の右端の２つの固定ピン孔の間の位置には上に向けて小さいアーチ形を形成し、当該上部防護フレーム防護カバー４０１の上端のマジックテープの接続帯のサブ面又は親面４０５−１は固定ストリップ６０１の中部の大きいアーチ形を貫通し、上部防護フレーム防護カバー４０１の外側に貼り付けたマジックテープの親面又はサブ面４０６−１に固定され、当該上部防護フレーム防護カバー４０１のサスペンションシュリンクリング４０７−１は固定ストリップ６０１の左右両側の小さいアーチ形を貫通し、ネジを採用して固定ストリップ６０１の両側のピン孔を貫通した後、固定ストリップ６０１を上部防護フレーム防護カバー２０１に固定し、図１７、１８に示すように、当該下部防護フレーム防護カバー４０２の上端のマジックテープの接続帯のサブ面又は親面４０５−２は固定ストリップ６０１の中部の大きいアーチ形を貫通し、下部防護フレーム防護カバー４０２の外側に貼り付けたマジックテープの親面又はサブ面４０６−２に固定され、当該下部防護フレーム防護カバー４０２のサスペンションシュリンクリング４０７−２は固定ストリップ６０１の左右両側の小さいアーチ形を貫通し、ネジを採用して固定ストリップ６０１の両側のピン孔を貫通した後、固定ストリップ６０１を中部防護フレーム支持ベース２０３に固定する。
【００６９】
さらに、図１２，１３示すのように、ドアストリップを含む。上記ドアストリップは、上部ドアストリップ７０１と下部ドアストリップ７０２を含み、上部ドアストリップ７０１は上部防護フレーム１０３に固着され、下部ドアストリップ７０２は下部防護フレーム１０４に固着され、下部ドアストリップ７０２は上部ドアストリップ７０１に挿入して摺動する。上記上部防護フレーム防護カバー４０１は上部防護フレームを一周取り囲んだ後、両端はそれぞれ上部ドアストリップに固定される。当該下部防護フレーム防護カバー４０２は下部防護フレームを一周取り囲んだ後、両端はそれぞれ下部ドアストリップに固定される。
【００７０】
図１示すのように、上記底部支持ベース２０４の底部には３つ〜５つのユニバーサルキャスター１０８が設けられ、ユニバーサルホイール１０８−１とユニバーサルホイール支持フレーム１０８−２を含み、ユニバーサルホイール支持フレーム１０８−２の一端はユニバーサルホイール１０８−１に接続し、他端は底部支持ベース２０４の底部に固接され、上記ユニバーサルホイール支持フレーム１０８−２と底部支持ベース２０４の外側壁との間の夾角は９０度以上であり、ユニバーサルホイール１０８−１はユニバーサルホイール支持フレーム１０８−２の支持により下部防護フレーム１０４の外側に延伸する、本考案に設置されたユニバーサルホイールは、本考案の装置を３６０度回転させ、臨床手術時の適応性が強く、手術の需要に従って任意の角度を調節することができる。本考案のユニバーサルホイールは下部防護フレーム１０４の外側に位置し、支持力のトルクを増加し、安定性がより強く、医者の足先を触ることも避け、介入医者の足部の活動範囲を拡大する。
【００７１】
図１４示すのように、上記下部防護フレーム防護カバー４０２の底部には足踏み操作割れ目４０３とユニバーサルホイール支持フレーム取付孔４０４が開設され、前記足踏み操作割れ目４０３はアーチ門状、方形、半円形、又は他の不規則な形状を呈する。臨床介入手術時、介入医者は足で他の設備を操作することが一般的であり、本考案の装置は足踏み操作割れ目４０３が設置され、介入医者の足で他の設備を操作することが便利である。
【００７２】
図５、図６示すのように、上記ドアパネル２０６は左ドアパネル２０６−１と右ドアパネル２０６−２を含み、左ドアパネル２０６−１の右端面は水平方向においてＬ形を呈し、対応する右ドアパネル２０６−２の左端面は水平方向において逆さまに置いたＬ形を呈し、左ドアパネル２０６−１の右端は右ドアパネル２０６−２の左端に嵌め込んで密閉し、左ドアパネル２０６−１と右ドアパネル２０６−２の閉じる場所の隙間から放射線が医療用放射線防護装置に入ることを遮断する目的を実現する左ドアパネルと右ドアパネルを交差して嵌め込む設計を採用することにより、ドアの隙間から本考案の装置内に放射線が入る問題を避ける。
【００７３】
図１示すのように、上記第１支持ロッド２０２は３〜４本を有し、第１支持ロッド２０２の数量に対応し、前記昇降システム３０２は３〜４セットを有し、前記第２支持ロッド２０５は３〜４本を有し、前記充電バッテリーはリチウム電池、鉛酸電池又はニッケル水素電池である。
【００７４】
上記樽形防護フレーム１０１はステンレス鋼材料、鉄、金、銀、銅、アルミニウム、亜鉛又はマンガンであり、上記防護カバー１０２の材質は鉛、鉛質材料、放射線防護無機鉛ガラス、放射線防護有機鉛ガラス又はガラス繊維強化プラスチック類複合防護材料であり、上記防護カバー１０２はＸ線防護材料層を含む。
【００７５】
（実施例２）
図１、図２および図１４を参照、本考案は、樽形防護フレーム１０１と、防護カバー１０２とを含む医療用放射線防護装置１００を提供する。樽形防護フレーム１０１は、上部防護フレーム１０３と下部防護フレーム１０４を含む。上部防護フレーム１０３と下部防護フレーム１０４とは、互いに接続され、上部防護フレーム１０３は下部防護フレーム１０４に沿って上下移動できる。一つの実施例において、樽形防護フレーム１０１はステンレス鋼材料により作製される。樽形防護フレーム１０１は金属及びその合金により作製してもよく、例えば、鉄、金、銀、銅、アルミニウム、亜鉛、マンガンなどである。樽形防護フレーム１０１は木により作製してもよい。
【００７６】
防護カバー１０２は樽形防護フレーム１０１の側壁に設置される。防護カバー１０２はＸ線防護材料により作製される。Ｘ線防護材料は、鉛、鉛質材料、鉛ゴム、放射線防護無機鉛ガラス、放射線防護有機鉛ガラス又はガラス繊維強化プラスチック類の複合防護材料等を含む。使用者は、例えば医者、防護カバー１０２に立つ場合、Ｘ線に対する防護を実現する。一実施例において、防護カバー１０２の最下端は地面に触ることができる。
【００７７】
本実施例における樽形は広義に理解すべきであり、即ち樽形防護フレーム１０１と防護カバー１０２は側壁の閉じる形状を形成する。例えば、中空の円柱体状、中空の楕円体状、中空の角柱、中空の多角形柱体又は他の不規則な形状の中空の柱体である。平面図の角度から見ると、断面形状は円形、楕円形、多辺形（四辺形、五辺形、六辺形）及び他の不規則な形状であってもよい。
【００７８】
他の実施例において、防護カバー１０２が形成された側壁は完全に閉じられない。例えば、ある使用状況において、使用者の前部には放射線を有し、使用者の後部又は側部には放射線がない。そのため、防護カバー１０２は使用者の前の放射線のみを阻止すればよい。防護カバー１０２は閉じられない中空の円柱体状、中空の多角形柱体又は他の不規則な柱体状であってもよい。
【００７９】
一実施例において、医療用放射線防護装置１００はさらに、上部防護フレーム１０３が下部防護フレーム１０４に沿って上昇又は下降する昇降システムを含む。図３と図４に示すように、当該昇降システムは昇降モータ３０１、昇降機構３０２と昇降制御装置１０６を含む。上部防護フレーム１０３は昇降機構３０２によって下部防護フレーム１０４に接続される。昇降制御装置１０６はボタンスイッチであってもよい。具体的には、昇降制御装置１０６は２つのボタンスイッチを含み、１つのボタンスイッチは昇降機構が昇降モータの作用により上昇させ、もう１つのボタンスイッチは昇降機構が昇降モータの作用により下降させる。他の実施例において、昇降制御装置１０６は１つのボタンスイッチのみを含む。ボタンスイッチを１回目押すと、昇降機構は上昇し、ボタンスイッチを２回目押すと、昇降機構は下降し、ボタンスイッチを３回目押すと、昇降機構は上昇し・・・、これによって類推すると、上昇と下降は交替的に実行される。もう１つの実施例において、昇降制御装置１０６は音声制御装置又はジェスチャー制御装置であってもよい。使用者は事前に設置された音声又はジェスチャーによって昇降モータ３０１を制御することができ、昇降モータ３０１の作用により、昇降機構３０２を上昇又は下降させる。昇降制御装置１０６は医療用放射線防護装置１００の如何なる位置に設置することができ、例えば、使用者が操作しやすいために、昇降制御装置１０６は上部防護フレーム１０３又は下部防護フレーム１０４に設置することができる。昇降機構３０２を上昇し、上部防護フレーム１０３は下部防護フレーム１０４に沿って上へ移動し、昇降機構３０２を下降し、上部防護フレーム１０３は下部防護フレーム１０４に沿って下へ移動する。そのため、使用者は各自の身長及び／又は使用環境の異なる要求により、昇降機構３０２によって上部防護フレーム１０３の昇降移動を実現する。
【００８０】
一実施例において、昇降制御装置１０６は２つの独立したボタンスイッチを含む。該２つのボタンスイッチは上部防護フレーム１０３のトップの上部防護フレーム操作台２０１に設置される。使用者が誤って触ることを防ぐために、２つのボタンスイッチにはそれぞれ「昇」と「降」が標識される。
【００８１】
一実施例において、上部防護フレーム１０３は基本的に対称に設置された２つの第１支持ロッドを含み、下部防護フレームは基本的に対称に設置された２つの第２支持ロッドを含む。第１支持ロッドと第２支持ロッドは互いに対応する。２つの昇降機構３０２はそれぞれ第１支持ロッドと第２支持ロッドの引き継ぎ位置に設置される。他の実施例において、上部防護フレーム１０３は４つの第１支持ロッドを含み、第１支持ロッドの間の間隔は同じ又は同じではなく、下部防護フレームは対応する４つの第２支持ロッドを含み、第２支持ロッドの間の間隔は同じ又は同じではない。４つの昇降機構３０２はそれぞれ第１支持ロッドと第２支持ロッドの引き継ぎ位置に設置される。もう１つの実施例において、第１支持ロッド、第２支持ロッドと昇降機構３０２の数量を限定せず、数量は２つ、３つ、４つ、５つ、６つ・・・のようであってもよい。
【００８２】
一実施例において、昇降機構３０２は電動昇降ロッドである。電動昇降ロッドは構造がコンパクトであり、余計なスペースを占めず、操作しやすい。一実施例において、電動昇降ロッドの数量は４つであってもよい。電動昇降ロッドの数量は使用者の需要と使用環境に従って選択することができる。
【００８３】
一実施例において、医療用放射線防護装置１００は、さらに、開閉システムを含む。図１、図５および図６を参照。開閉システムは、回転ロッド１０５、開閉モータ及び開閉制御装置１０７を含む。回転ロッド１０５は樽形防護フレーム１０１の垂直方向に設置され、樽形防護フレーム１０１の少なくとも一部は上記回転ロッド１０５を回って回転することができ、防護カバー１０２を開けさせ又は閉じさせる。防護カバー１０２を開け、使用者は防護カバー１０２に入ることができる。防護カバー１０２を閉じ、Ｘ線に対する防護を実現する。開閉モータは回転ロッド１０５に設置され、開閉モータの作用により、樽形防護フレーム１０１の少なくとも一部を開け又は閉じ、よって防護カバー１０２の開閉を実現する。開閉制御装置１０７は医療用放射線防護装置１００の如何なる位置に設置することができ、例えば、使用者が操作しやすいために、開閉制御装置１０７は上部防護フレーム１０３又は下部防護フレーム１０４に設置することができる。
【００８４】
一実施例において、開閉制御装置１０７は２つの独立した磁気スイッチを含む。磁気スイッチの２つのボタンは上部防護フレーム１０３のトップの上部防護フレーム操作台２０１に設置される。使用者が誤って触ることを防ぐために、２つのボタンにはそれぞれ「開」と「閉」が標識される。
【００８５】
一実施例において、樽形防護フレーム１０１は２つの半環状防護フレーム（横断面が半環状である）１０９、１１０により構成され、これらの２つの半環状防護フレーム１０９、１１０の端部は回転ロッド１０５によって接続される。２つの半環状防護フレーム１０９、１１０は回転ロッド１０５を回って回転することができ、樽形防護フレーム１０１の開閉を実現し、これによって防護カバー１０２の開閉を実現する。
【００８６】
一実施例において、図１〜図４に示すように、下部防護フレーム１０４の底部には移動可能なキャスター１０８が設けられる。他の実施例において、該移動可能なキャスター１０８はユニバーサルキャスターである。ユニバーサルキャスターは水平３６０度回転することができ、医療用放射線防護装置１００の方向転換と移動に便利であり、よって医療スタッフが医療操作時の移動に役立ち、医療スタッフの手持ち操作を妨げず、便利に操作できる。
【００８７】
医療用放射線防護装置１００の使用方法は以下の通りであり、使用者は樽形防護フレーム１０１の磁気スイッチ（「開」ボタン）を押し、樽形防護フレーム１０１は回転ロッド１０５と開閉モータの協力により、樽形防護フレーム１０１の入口を開ける。使用者は該入口によって樽形防護フレーム１０１に入る。その後開閉制御装置（「閉」ボタン）１０７を押し、入口を閉じる。防護カバー１０２は樽形防護フレーム１０１の側壁とし、使用者を３６０度全方位に取り囲むことができる。使用者は昇降制御装置（「開」と「閉」ボタン）１０６により、樽形防護フレーム１０１の高さを調節することができる。
【００８８】
他の実施例において、図７に示すように、医療用放射線防護装置１００は樽形防護装置７０１を含む。樽形防護装置７０１は上部防護装置７０３と下部防護装置７０４を含む。上部防護装置７０３の内径は下部防護装置７０４の内径よりやや大きい又はやや小さい。上部防護装置７０３と下部防護装置７０４は互いに接続され、上部防護装置７０３は下部防護装置７０４の外側壁又は内側壁に沿って移動することができる。樽形防護装置７０１はステンレス鋼材料により作製され、金属及びその合金により作製してもよい。樽形防護装置７０１の側壁にはＸ線防護材料層７０２が貼り付けられ、例えば鉛層である。Ｘ線防護材料層７０２は樽形防護装置７０１の側壁の内側、側壁の外側に貼り付けて及び／又は樽形防護装置７０１の側壁に設置することができる。もう１つの実施例において、医療用放射線防護装置１００はさらに昇降システムと開閉システムを含むことができる。樽形防護フレーム１０１と樽形防護装置７０１に類似するが、区別としては、樽形防護フレーム１０１は医療用放射線防護装置１００の支持フレームであり、側壁がなく、防護カバー１０２は樽形防護フレーム１０１に接続して樽形防護フレーム１０１の側壁とし、樽形防護装置７０１は側壁を有し、Ｘ線防護材料層７０２は樽形防護装置７０１の側壁内側、側壁外側及び／又は樽形防護装置７０１の側壁に設置される。
【００８９】
本考案の各実施例における医療用放射線防護装置１００を採用し、使用者は重い鉛服を着用する必要がなく、よって医療スタッフの荷重を減少させ、防護効果を向上させる。
【００９０】
表１、表２、図８と図９は本考案の医療用放射線防護装置１００と従来の鉛服の放射線データを示す。
【表１】
0003223517.tif 000003
【表２】
0003223517.tif 000004
【００９１】
検測分析データから分かるように、Ｘ線の透視又はデジタルサブトラクション血管造影（Ｄｉｇｉｔａｌ  Ｓｕｂｔｒａｃｔｉｏｎ  Ａｎｇｉｏｇｒａｐｈｙ、ＤＳＡ）状態であっても、従来の鉛服が膝部（地面から約３５ｃｍ）以下の部分（膝部以下を覆う場合、従来の鉛服を着用する医者は手術中に自由に移動することが不便である）を覆うことができないため、使用者の膝部以下の部位が「防護されない」状態になる。
【００９２】
医療用放射線防護装置１００以外の地面から約３５ｃｍ場所に、透視時の最高周辺線量当量率は１１．５７±０．０６μＳｖ／ｈに達し、ＤＳＡ時の最高周辺線量当量率は２６．３３±０．２５μＳｖ／ｈに達する。医療用放射線防護装置１００を使用した後、透視又はＤＳＡ状態であっても、装置内の各高さ（地面からの高さ）の周辺線量当量率はいずれも鉛服防護時の同じ高さの周辺線量当量率より低い。これにより、本考案が開示された医療用放射線防護装置１００の防護効果は従来の鉛服より優れることが明らかである。
【００９３】
医療用放射線防護装置１００以外、透視又はＤＳＡ状態であっても、周辺線量当量率は迅速に上昇する（例えば、ＤＳＡ状態において地面１１０ｃｍの場所に４０μＳｖ／ｈを超える）。高さが高いほど、周辺線量当量率も高い。本考案が開示された医療用放射線防護装置１００はほとんどの周辺線量当量率を約バックグラウンド放射値（ｂａｃｋｇｒｏｕｎｄ  ｒａｄｉａｔｉｏｎ）、即ち大気中の放射線値に制御することができる。大部の周辺線量当量率は０．２μＳｖ／ｈ以下に制御する。
【００９４】
本考案が開示された医療用放射線防護装置１００は地面高さが３５ｃｍ以下の下肢部位を効果的に防護することができ、地面３５ｃｍ以上の高さの部位と同じ防護効果を有し、これは従来の鉛服の防護より著しく優れている。
【００９５】
表３、表４、図１０と図１１は鉛のバッフル板を加えた防護装置（１．０鉛当量）又は従来の鉛服（０．５鉛当量）の放射線データを示す。
【表３】
0003223517.tif 000005
【表４】
0003223517.tif 000006
【００９６】
医療用放射線防護装置１００以外、透視又はＤＳＡ状態であっても、周辺線量は迅速に上昇する（例えば、ＤＳＡ状態において地面から１１０ｃｍの場所に７μＳｖ／ｈを超える）。高さが高いほど、周辺線量当量率も高い。本考案が開示された防護装置１００はほとんどの周辺線量当量率をバックグラウンド放射線値（大気中の放射線値）以下に制御する。大部の周辺線量当量率は０．１μＳｖ／ｈ以下に制御する。
【００９７】
これにより、本考案が開示された防護装置１００はより大きく厚い鉛質又は他の材質の防護材料を採用することができ、よって防護効果をさらに優れている。
【００９８】
上記に記述された多くの詳細を記述したが、本考案を十分に理解することに有利である。但し、これらの記述は本考案の好ましい実施例のみであり、本考案は上記と異なる方式で実施することができ、よって本考案は上記開示された具体的な実施例により制限されない。当業者であれば、本考案の技術的解決手段を逸脱しない前提において、いずれも上記開示された方法又は技術内容を利用し、本考案の技術的解決手段に対して様々な変更又は修飾を実施し、又は等価置換の等価実施例に修正することができる。本考案の技術的解決手段を逸脱しない内容に対し、本考案の技術実質によれば、上記実施例に対して実施する如何なる簡単な修正、等価置換又は修飾はいずれも本考案の技術的解決手段の保護範囲に属する。
【図１】
0003223517.tif 000007
【図２】
0003223517.tif 000008
【図３】
0003223517.tif 000009
【図４】
0003223517.tif 000010
【図５】
0003223517.tif 000011
【図６】
0003223517.tif 000012
【図７】
0003223517.tif 000013
【図８】
0003223517.tif 000014
【図９】
0003223517.tif 000015
【図１０】
0003223517.tif 000016
【図１１】
0003223517.tif 000017
【図１２】
0003223517.tif 000018
【図１３】
0003223517.tif 000019
【図１４】
0003223517.tif 000020
【図１５】
0003223517.tif 000021
【図１６】
0003223517.tif 000022
【図１７】
0003223517.tif 000023
【図１８】
0003223517.tif 000024
【図１９】
0003223517.tif 000025
【図２０】
0003223517.tif 000026
【手続補正書】
【提出日】令和1年8月7日(2019.8.7)
【手続補正１】
【補正対象書類名】実用新案登録請求の範囲
【補正対象項目名】請求項８
【補正方法】変更
【補正の内容】
【請求項８】
前記上部防護フレーム防護カバー（４０１）の外層防護カバーの上端はさらに面ファスナーの接続バンドのサブ面または親面（４０５−１）に固接されており、上部防護フレーム防護カバー（４０１）の内層防護カバーの外側面の上部の対応する位置には面ファスナーのサブ面または親面（４０６−１）が縫われており、前記上部防護フレーム防護カバー（４０１）の内層防護カバーの上端および外層防護カバーの面ファスナーと外層防護カバーとの接続部分にはいずれもサスペンションシュリンクリング（４０７−１）が縫われており、
前記下部防護フレーム防護カバー（４０２）の外層防護カバーの上端は面ファスナーの接続バンドのサブ面または親面（４０５−２）に固接されており、下部防護フレーム防護カバー（４０２）の内層防護カバーの外側面の上部の対応する位置には面ファスナーのサブ面または親面（４０６−２）が縫われており、前記下部防護フレーム防護カバー（４０２）の内層防護カバーの上端および外層防護カバーの面ファスナーと外層防護カバーとの接続部分にはいずれもサスペンションシュリンクリング（４０７−２）が縫われており、
さらに、固定ストリップ（６０１）およびポスト（６０３）を含み、前記ポスト（６０３）は逆「Ｌ」形、または「弧」形、または「Ｔ」形を呈し、上部防護フレーム操作台支持フレーム（２１１）の上端面の両側にはそれぞれポスト（６０３）が設置されており、前記固定ストリップ（６０１）は上部防護フレーム防護カバー（４０１）のサスペンションシュリンクリングを貫通した後、ポスト（６０３）の内側にサスペンションして固定されており、
中部防護フレーム支持ベース（２０３）の上端面の両側に沿ってそれぞれポスト（６０３）が設置されており、前記固定ストリップ（６０１）は下部防護フレーム防護カバー（４０２）のサスペンションシュリンクリングを貫通した後、ポスト（６０３）の内側にサスペンションして固定されている、
ことを特徴とする請求項６に記載の医療用放射線防護装置。